(57)【要約】【課題】、温室内の空気の温度制御及び湿度制御を簡単な構造で効果的に行うことのできる温室用空調装置の提供を目的とする。【解決手段】空調用入口部２１の冷房用角ダクト２７内に冷房用熱交換器３７を設ける。また、空調用入口部２１の加温用角ダクト２９内に加温用熱交換器３９を設ける。そして、加温用熱交換器３９よりも出口４１側で、加温用角ダクト２９内に空気循環ファン４３を配置する。冷房用角ダクト２７の底部４５に排水孔４７をあけ、この排水孔４７を地面７に設けた排水溝４９に連通する。【選択図】図２
2010200634.tif 000002
【特許請求の範囲】
【請求項１】
植物栽培用の温室内を空調する温室用空調装置であって、
空気循環用ファンが設けられた空調用ダクトと、この空調用ダクト内の空気の温度を調整するために用いる空調流体供給源と、を備え、
前記空調用ダクトは、吸気口及び出口を有する空調用入口部と、この空調用入口部の前記出口に接続されたダクト本体と、を有し、前記空気循環用ファンの作動によって、前記温室内の空気を、前記空調用入口部の前記吸気口から吸い込み、前記空調用入口部の前記出口を通過させて前記ダクト本体から前記温室内に戻すように構成され、
前記空調用入口部には、この空調用入口部内を通過する前記温室内の空気を冷却するための冷却用熱交換器が設けられるとともに、この冷却用熱交換器よりも前記出口側で、前記空調用入口部内を通過する前記温室内の空気を暖めるための加温用熱交換器が設けられていて、
前記空調流体供給源は、前記冷却用熱交換器に冷却流体を供給し、かつ、前記加温用熱交換器に加温流体を供給するものである、ことを特徴とする温室用空調装置。
【請求項２】
前記空調流体供給源は、前記冷却用熱交換器への冷却流体の供給及び前記加温用熱交換器への加温流体の供給を別々に行うことも同時に行うこともできるように構成されている、ことを特徴とする請求項１記載の温室用空調装置。
【請求項３】
前記循環用ファンは送風容量を制御できるように構成されている、ことを特徴とする請求項１又は２記載の温室用空調装置。
【請求項４】
前記空調用入口部は、一端に前記吸気口を有する冷却部と、この冷却部の他端に一端が接続され、前記冷却部と角度を有して延びる加温部と、を有し、前記冷却用熱交換器は前記冷却部に設けられ、前記加温用熱交換器は前記加温部に設けられていて、前記ダクト本体は、前記加温部の他端の前記出口に接続されている、ことを特徴とする請求項１、２又は３記載の温室用空調装置。
【請求項５】
前記冷却部は垂直下方又はほぼ垂直下方に延び、前記加温部は、前記冷却部の下端から水平方向又はほぼ水平方向に延びている、ことを特徴とする請求項４記載の温室用空調装置。
【請求項６】
前記空調用入口部には、結露水排水構造が設けられている、ことを特徴とする請求項１、２、３、４又は５記載の温室用空調装置。
【請求項７】
前記空調用入口部には、前記冷却部と前記加温部との境界位置で、結露水排水構造が設けられている、ことを特徴とする請求項４又は５記載の温室用空調装置。
【請求項８】
前記空調流体供給源には、ヒートポンプ、ボイラ又はＬＰＧなどが用いられる、ことを特徴とする請求項１、２、３、４、５、６又は７記載の温室用空調装置。
【発明の詳細な説明】
【技術分野】
【０００１】
本発明は、パプリカなどの植物を栽培するための温室に関し、特に、温室内の空気の温度や湿度を調整するための温室用空調装置（エアートリートメントユニット）に関するものである。
【背景技術】
【０００２】
パプリカは、例えば、栽培棚を地面から所定高さとなるように設置した温室内で栽培されていて、外気温が低下する冬期には、温室に設けられた暖房装置によって温室内が加温される。外気温が上昇する夏期では、特に温室内の温度調整に細かな注意が払われない場合も多いが、より行き届いた温度制御を行おうとするときや、外気温が比較的高くなる地域では、温室に冷房構造を構成して、夏期の高温状態に対処する場合もある。
【０００３】
温室内の温度を冷暖房制御する構造としては、例えば特許文献１に記載されたものが知られている。特許文献１に記載された温度制御構造は、栽培ベッドの下側にダクトを設け、このダクト内に散水管を通すとともに、ダクトの一端に送風機を取り付けて構成され、この送風機によって温室内の空気をダクト内に吸い込み、ダクトの他端から再び温室内に送り出すといった機能を有している。そして、ダクト内を通過する温室内の空気と、散水管から噴射された地下水とを接触させ、熱交換することにより、ダクトの他端から送り出される空気の温度を適切に制御している。
【０００４】
また、夏期の高温多湿な状態は、パプリカにうどんこ病や灰色かび病などの病気を発生させるおそれがある。したがって、例えば特許文献２には、温室内の上層部と施肥室との間に、換気扇を設けたダクトを配置し、上層部の空気をダクト内を通過させることにより、再び温室内に戻すようにした空気循環設備で、ダクト内の空気の水分が施肥室で結露し、ダクトから再び温室内に送り出される空気が除湿されるように構成した湿度調整構造が記載されている。
【先行技術文献】
【特許文献】
【０００５】
【特許文献１】特開２００２−３３０６４０号公報
【特許文献２】特開２００７−０６１０１４号公報
【発明の概要】
【発明が解決しようとする課題】
【０００６】
ところで、特許文献２に記載されたような湿度調整構造では、ダクト内の空気の湿度を十分に低下させようとすれば、ダクトから再び温室内に送り出される空気の温度は、それだけ低下する。しかしながら、温室内の少なくとも大幅な温度の低下は、パプリカなどの栽培植物によい影響を与えないことは明らかである。
【０００７】
そこで本発明は、温室内の空気の温度制御及び湿度制御を簡単な構造で効果的に行うことのできる温室用空調装置の提供を目的とする。
【課題を解決するための手段】
【０００８】
この目的を達成するための本発明の温室用空調装置は、植物栽培用の温室内を空調する温室用空調装置であって、空気循環用ファンが設けられた空調用ダクトと、この空調用ダクト内の空気又はこの空調用ダクト内を通過する前記温室内の空気の温度を調整するための又は調整するために用いられる空調流体供給源と、を備え、前記空調用ダクトは、吸気口及び出口を有する空調用入口部と、この空調用入口部の前記出口に接続されたダクト本体と、を有し、前記空気循環用ファンの作動によって、前記温室内の空気を、前記空調用入口部の前記吸気口から吸い込み、前記空調用入口部の前記出口を通過させて前記ダクト本体から前記温室内に戻すように構成され、前記空調用入口部には、この空調用入口部内を通過する前記温室内の空気を冷却するための冷却用熱交換器（例えば間接式熱交換器）が設けられるとともに、この冷却用熱交換器よりも前記出口側で、前記空調用入口部内を通過する前記温室内の空気を暖めるための加温用熱交換器（例えば間接式熱交換器）が設けられていて、前記空調流体供給源は、前記冷却用熱交換器に冷却流体を供給し、かつ、前記加温用熱交換器に加温流体を供給するものである。空調流体供給源は、例えば、冷却用熱交換器への冷却流体の供給及び加温用熱交換器への加温流体の供給を別々に行うことも同時に行うこともできるように構成される。
【０００９】
冷却用熱交換器（冷房用熱交換器）に、空調流体供給源から冷却流体を供給することにより、空調用入口部に吸い込まれた温室内の空気を、冷却流体との熱交換により冷却することができる。また、加温用熱交換器に、空調流体供給源から加温流体を供給することにより、空調用入口部に吸い込まれた温室内の空気を加温流体との熱交換により加温することができる。ここで、冷却用熱交換器に冷却流体を供給し、加温用熱交換器に加温流体を供給しなければ、空調用入口部に吸い込まれた温室内の空気は冷却されてダクト本体内に流入する。逆に、加温用熱交換器に加温流体を供給し、冷却用熱交換器に冷却流体を供給しなければ、空調用入口部に吸い込まれた温室内の空気は加温されてダクト本体内に流入する。そして、冷却用熱交換器に冷却流体を供給し、かつ、加温用熱交換器に加温流体を供給すれば、空調用入口部に吸い込まれた温室内の空気を冷却し、空気中の水分を結露させて空気の除湿を行い、その後、除湿された空気を加温してダクト本体内に流すことができる。冷却用熱交換器及び加温用熱交換器は、例えば、空調用入口部内に設けられる。
【００１０】
循環用ファンが、送風容量を制御できるように構成されていれば、より精緻な温室内の空調が可能となる。また、空調用入口部に結露水排水構造を設けるのが得策である。
【００１１】
本発明では、空調用入口部が、一端に吸気口を有する冷却部（冷房部）と、この冷却部の他端に一端が接続され、冷却部と角度を有して延びる加温部と、を有し、冷却用熱交換器が冷却部（例えば冷却部内）に設けられるとともに、加温用熱交換器が加温部（例えば加温部内）に設けられ、ダクト本体が、加温部の他端の出口に接続されるといったように構成できる。このように構成しておけば、冷却用熱交換器に空気が接触して生じた結露水が、加温用熱交換器に接触するといったことを防止することが可能となる。冷却部が垂直下方又はほぼ垂直下方に延び、加温部が、冷却部の下端から水平方向又はほぼ水平方向に延びるように構成できる。ここでは、例えば、冷却部と加温部との境界位置で、空調用入口部に結露水排水構造が設けられる。
【００１２】
本発明の温室用空調装置に用いる空調流体供給源では、種々の熱源を用いることができる。例えば、ヒートポンプを用いれば省力的構成となるし、ボイラを用いれば強力な加熱効果を期待できる。また、環境に配慮してＬＰＧを使用することもできる。
【発明の効果】
【００１３】
以上説明したように、本発明の温室用空調装置では、暖房、冷房及び除湿された空気の加温をダクト内に構成した熱交器により行うことができる。
【図面の簡単な説明】
【００１４】
【図１】パプリカ栽培用温室の全体的構造を示すための図である。
【図２】空調用入口部個所の構造を示すための図である。
【図３】温室用空調装置が温室内を暖房している状態を示す図である。
【図４】温室用空調装置が温室内を冷房している状態を示す図である。
【図５】温室用空調装置が温室内を除湿している状態を示す図である。
【図６】温水冷水循環配管又は温水冷水供給流路を地熱ヒートポンプシステム１７及び温水ボイラシステム１９とともに示す図である。
【図７】温水冷水循環配管の暖房モードを示す図である。
【図８】温水冷水循環配管の冷房モードを示す図である。
【図９】温水冷水循環配管の除湿モードを示す図である
【発明を実施するための最良の形態】
【００１５】
以下、本発明の実施の形態を図面を参照して説明する。
【００１６】
図１はパプリカ栽培用温室の全体的構造を示すための図である。
【００１７】
パプリカ栽培用温室１は、透明のガラス又はビニールで構成された側壁３及び天井５を有して構成され、内部に、地面７から所定の高さとなるように吊紐９で吊り下げられた細長い栽培棚１０を、所定の間隔で複数列備えている。それぞれの栽培棚１０上には、長さ方向に沿って所定の間隔で、パプリカ１１が栽培されている。そして、温室１内にはまた、温室用空調装置（エアートリートメントユニット）１３が設けられていて、この温室用空調装置１３は、空調用ダクト１５と、地熱ヒートポンプシステム１７及び温水ボイラシステム１９（空調流体供給源、図６参照）とを備え、空調用ダクト１５は、空調用入口部２１と、この空調用入口部２１に接続されたダクト本体２３とを有している。空調用入口部２１は、上端に吸気口２５を有する縦型の冷房用角ダクト２７（冷房部）の下端に、横型の加温用角ダクト２９（加温部）を一体的に接続してＬ字形に構成され、ダクト本体２３は、加温用角ダクト２９の先端に接続されて、栽培棚１０と直交する方向に延びるメインダクト３１と、このメインダクト３１からそれぞれの栽培棚７の下側を通って延びる複数本の分岐ダクト３３とを有している。それぞれの分岐ダクト３３には、小さな排気孔３５が長さ方向に沿って多数設けられていて、冷房用角ダクト２７の吸気口２５から吸い込まれた温室１内の空気は、空調用入口部２１からダクト本体２３に入り、分岐ダクト３３の排気孔３５から温室１内に放出される。
【００１８】
図２は空調用入口部２１個所の構造を示すための図である。
【００１９】
空調用入口部２１の冷房用角ダクト２７内には、例えばコイル式又はフィンチューブ式の冷房用熱交換器３７が設けられている。また、空調用入口部２１の加温用角ダクト２９内には、例えばコイル式又はフィンチューブ式の加温用熱交換器３９が設けられ、この加温用熱交換器３９よりも出口４１側で、空気循環ファン４３が配置されている。冷房用角ダクト２７の底部４５には排水孔４７が開けられていて、この排水孔４７は、地面７に設けられた排水溝４９に連なっている。
【００２０】
図３乃至図５は温室用空調装置１３の作動状態を示す図であり、図３は温室用空調装置１３が温室１内を暖房している状態を示す図、図４は温室用空調装置１３が温室１内を冷房している状態を示す図、図５は温室用空調装置１３が温室１内を除湿している状態を示す図である。
【００２１】
図３に示す温室用空調装置１３の暖房モード（例えば冬期でのモード）では、空調用入口部２１の加温用角ダクト２９内に配置された加温用熱交換器３９又は加温用熱交換器３９の内部に、温室用空調装置１３の温水冷水循環配管又は温水冷水供給流路から、例えばほぼ４５度あるいは４０度以上の温水が供給されていて、空気循環ファン４３の作動により空調用入口部２１内に吸い込まれた温室１内の空気は、加温用熱交換器３９又は加温用熱交換器３９の壁と接触して加温され、ダクト本体２３に送られて温室１内に戻される（太矢印参照）。この暖房モードでは、冷房用熱交換器３７に冷却水は供給されていない。また、図４に示す温室用空調装置１３の冷房モード（例えば夏期でのモード）では、空調用入口部２１の冷房用角ダクト２７内に配置された冷房用熱交換器３７又は冷房用熱交換器３７の内部に、温水冷水循環配管から、例えばほぼ７度あるいは７度乃至１０度程度の冷却水が供給されていて、空気循環ファン４３の作動により空調用入口部２１内に吸い込まれた温室１内の空気は、冷房用熱交換器３７又は冷房用熱交換器３７の壁と接触して冷却され、ダクト本体２３に送られて温室１内に戻される（太矢印参照）。ここで、生じた結露水５１は、冷房用角ダクト２７の底部４５の排水孔４７から排水溝４９に排水される。この冷房モードでは、加温用熱交換器３９に加温水は供給されていない。さらに、図５に示す温室用空調装置１３の除湿モード（例えば夏期でのモード）では、空調用入口部２１の冷房用角ダクト２７内に配置された冷房用熱交換器３７又は冷房用熱交換器３７の内部に、温水冷水循環配管から、例えばほぼ７度あるいは７度乃至１０度程度の冷却水が供給されるとともに、空調用入口部２１の加温用角ダクト２９内に配置された加温用熱交換器３９又は加温用熱交換器３９の内部に、温水冷水循環配管から、所定温度の又は適温の温水が供給されていて、空気循環ファン４３の作動により空調用入口部２１内に吸い込まれた温室１内の空気は、冷房用熱交換器３７又は冷房用熱交換器３７の壁と接触して冷却され、結露した水分５３が取り除かれた後に、加温用熱交換器３９又は加温用熱交換器３９の壁と接触して加温され、ダクト本体２３に送られて温室１内に戻される（太矢印参照）。ここで、生じた結露水５３は、冷房用角ダクト２７の底部４５の排水孔４７から排水溝４９に排水される。
【００２２】
図６は温水冷水循環配管又は温水冷水供給流路を地熱ヒートポンプシステム１７及び温水ボイラシステム１９とともに示す図である。
【００２３】
温水冷水循環配管は、地熱ヒートポンプシステム１７の第１システムポート５７から冷房用熱交換器３７の入口側に延びる冷却水供給路５９と、冷房用熱交換器３７の出口側から地熱ヒートポンプシステム１７の第２システムポート６１に延びる熱回収水戻り路６３とを有する第１の循環配管又は第1の流路を備えている。第１の循環配管では、冷却水供給路５９に、冷房用熱交換器３７の入口側近くで冷水用ポンプ６５が配置され、また、冷水用ポンプ６５よりも上流側で冷水用３方バルブ６７が設けられている。また、熱回収水戻り路６３からは、循環路６９が分岐し、この循環路６９は冷水用３方バルブ６７に接続されている。したがって、第１の循環配管では、冷水用３方バルブ６７の切り換えにより、冷水用３方バルブ６７から冷房用熱交換器３７及び循環路６９を通って冷水用３方バルブ６７に戻る第１の閉回路を構成することができる。
【００２４】
また、温水冷水循環配管は、地熱ヒートポンプシステム１７の第２システムポート６１から加温用熱交換器３９の入口側まで延びる第１の加温水供給路７１と、加温用熱交換器３９の出口側から地熱ヒートポンプシステム１７の第１システムポート５７に延びる第１の熱放出水戻り路７３とを有する第２の循環配管又は第２の流路を備えている。第１の加熱水供給路７１では、上流側から下流側に向かって、第１の温水用３方バルブ７５、第２の温水用３方バルブ７７、そして温水用ポンプ７９が順次配置されている。そして、第１の熱放出水戻り路７３からは、循環路８１が分岐し、この循環路８１は、第１の温水用３方バルブ７５に接続されている。したがって、第２の循環配管は、第１の温水用３方バルブ７５の切り換えにより、第１の温水用３方バルブ７５から、第２の温水用３方バルブ７７、加温用熱交換器３９及び循環路８１を通って第１の温水用３方バルブ７５に戻る第２の閉回路又は第２の循環回路を構成することができる。
【００２５】
そして、温水冷水循環配管は、地熱ヒートポンプシステム１７とは別の空調流体供給源である温水ボイラシステム１９の高温供給側８３から、第２の温水用３方バルブ７７及び温水用ポンプ７９を通り、加温用熱交換器３９の入口側まで延びる第２の加温水供給路８５と、加温用熱交換器３９の出口側から、第１の温水用３方バルブ７５を通って温水ボイラシステム１９の低温戻り側８７まで延びる第２の熱放出水戻り路８９とを有する第３の循環配管又は第３の流路を備えている。第２の加温水供給路８５は、第２の温水用３方バルブ７７から下流側を、第１の加温水供給路７１と供給し、第２の熱放出水戻り路８９は、加温用熱交換器３９の出口側から循環路８１までを、第１の熱放出水戻り路７３と共有している。そして、第３の循環配管は、第２の温水用３方バルブ７７の切り換えにより、第２の循環配管と同様に、第２の閉回路又は第２の循環回路を構成することができる。
【００２６】
地熱ヒートポンプシステム１７は、ヒートポンプ９１と、井戸ポンプ９３を有し、井戸水をヒートポンプ９１の第１の熱交換器９５に循環させて、ヒートポンプ９１の冷媒配管９７との間で熱交換を行わせる地熱循環路９９と、地熱ヒートポンプシステム１７の第１システムポート５７及び第２システムポート６１としてのタンクポートを有するバランシングタンク１０１と、作動水循環路１０３と、を備えている。作動水循環路１０３は、バランシングタンク１０１の第３タンクポート１０５から４方バルブ１０７の第１ポート１０９に延びる第１ライン１１１と、バランシングタンク１０１の第４タンクポート１１３から４方バルブ１０７の第２ポート１１５に延びる第２ライン１１７と、４方バルブ１０７の第３ポート１１９からヒートポンプ９１の第２の熱交換器１２１の入口側に延びる、循環ポンプ１２３を有する第３ライン１２５と、第２の熱交換器１２１の出口側から４方バルブ１０７の第４ポート１２７に延びる第４ライン１２９と、を有し、バランシングタンク１０１及び配管内の水を冷媒配管９７と熱交換させる。ヒートポンプ９１の冷媒配管９７には、圧縮器（ポンプ）１３１、４方バルブ１３３及び膨張バルブ１３５が設けられ、加熱運転と冷却運転とを切り換えることができるように構成されている。
【００２７】
温水ボイラシステム１９では、温水ボイラ１３７から温水が高温供給側８３に供給されるとともに、低温戻り側８７から温水ボイラ１３７に、より低い温度水が戻されるように構成されている。なお、高温供給側８３から延び、上流側から、暖房用３方バルブ１３９、暖房用ポンプ１４１を順次有する暖房用供給ライン１４３及び低温戻り側８７に戻って接続される暖房用戻りライン１４５は、栽培棚１０の下側の循環パイプ（図示せず）に温水を循環させて、栽培棚１０付近を暖房するためのものであり、夏期には使用しない場合が多い。また、暖房用戻りライン１４５からは、循環ライン１４７が分岐して暖房用３方バルブ１３９に接続されていて、暖房用３方バルブ１３９の切り換えにより、循環パイプ用の閉回路を構成することができるようになっている。
【００２８】
図７乃至図９はそれぞれ、温水冷水循環配管の暖房モード、冷房モード及び除湿モードを示す図である。
【００２９】
暖房モードでは、図７に示すように、地熱ヒートポンプシステム１７の４方バルブ１０７の第１ポート１０９と第４ポート１２７とが連結されるとともに、４方バルブ１０７の第２ポート１１５と第３ポート１１９とが連結され、加熱運転状態であるヒートポンプ９１の第２の熱交換器１２１の出口側から、ほぼ４５°に加熱された温水が、循環ポンプ１２３によって供給され、第４ライン１２９及び第１ライン１１１を通り、第３タンクポート１０５からバランシングタンク１０１内に入る（白矢印参照）。一方、バランシングタンク１０１の第４タンクポート１１３からは、例えば４０度程度のより低温の温水が引き出され、第２ライン１１７及び第３ライン１２５を通過して第２の熱交換器１２１の入口側に入る（黒矢印参照）。また、温水冷水循環配管の第２の循環配管を使用して加温用熱交換器３９に温水を供給する。第２の循環配管では、第２の閉回路を構成し、温水用ポンプ７９を作動させて、加温用熱交換器３９に温水を供給するのを基本とし（内側白矢印参照）、第２の閉回路の温度（具体的には加温用熱交換器３９の入口側近くの温度）を監視して、温度が低下したときに、第１の温水用３方バルブ７５を切り換えて、バランシングタンク１０１の第２タンクポート６１から、温水用ポンプ７９を用い、温水を加温用熱交換器３９に供給し（外側黒矢印参照）、その後は、第１の温水用３方バルブ７５を切り換えて、再び第２の閉回路を構成する。なお、第２の閉回路の温度が低下したときに、第２の温水用３方バルブ７７を切り換えて、温水ボイラシステム１９から温水を加温用熱交換器３９に供給してもよい（除湿モード参照）。また、暖房モードでは、暖房用供給ライン１４３と暖房用戻りライン１４５とを用いて循環パイプに温水を循環させる場合があるが、ここでも、循環パイプ用の閉回路を構成し、暖房用ポンプ１４１を作動させて温水を循環させるのを基本とし（内側白矢印参照）、循環パイプ用の閉回路の温度が低下したときに、暖房用３方バルブ１３９を切り換えて、暖房用ポンプ１４１を用い、高温供給側８３から温水を供給する（外側黒矢印参照）。
【００３０】
冷房モードでは、図８に示すように、地熱ヒートポンプシステム１７の４方バルブ１０７の第１ポート１０９と第３ポート１１９とが連結されるとともに、４方バルブ１０７の第２ポート１１５と第４ポート１２７とが連結され、冷却運転状態であるヒートポンプ９１の第２の熱交換器１２１の出口側から、ほぼ７°に冷却された冷却水が循環ポンプ１２３によって供給され、第４ライン１２９及び第２ライン１１７を通り、第４タンクポート１１３からバランシングタンク１０１内に入る（白矢印参照）。一方、バランシングタンク１０１の第３タンクポート１０５からは、例えば１２度程度のより暖かい冷水が引き出され、、第１ライン１１１及び第３ライン１２５を通過して第２の熱交換器１２１の入口側に入る（黒矢印参照）。また、温水冷水循環配管の第１の循環配管を使用して冷房用熱交換器３７に冷却水を供給する。第１の循環配管では、第１の閉回路を構成し、冷水用ポンプ６５を作動させて、冷房用熱交換器３７に冷却水を供給するのを基本とし（内側白矢印参照）、第１の閉回路の温度（具体的には冷房用熱交換器３７の入口側近くの温度）を監視して、温度が上昇したときに、冷水用３方バルブ６７を切り換えて、バランシングタンク１０１の第１タンクポート５７から、冷水用ポンプ６５を用い、冷却水を冷房用熱交換器３７に供給し（外側黒矢印参照）、その後は、冷房用３方バルブ６７を切り換えて、再び第１の閉回路を構成する。
【００３１】
除湿モードでは、図９に示すように、温水冷水循環配管の第１の循環配管及び冷房モードの地熱ヒートポンプ１７システムを使用して、冷房モードと同様に、冷房用熱交換器３７に冷却水を供給する。また、温水冷水循環配管の第３の循環配管を使用して加温用熱交換器３９に温水を供給する。第３の循環配管では、第２の閉回路を構成し、温水用ポンプ７９を作動させて、加温用熱交換器３９に温水を供給するのを基本とし（内側白矢印参照）、第２の閉回路の温度（具体的には加温用熱交換器３９の入口側近くの温度）を監視して、温度が低下したときに、第２の温水用３方バルブ７７を切り換えて、温水用ポンプ７９を用い、高温供給側８３から温水を加温用熱交換器３９に供給し（外側黒矢印参照）、その後は、第２の温水用３方バルブ７７を切り換えて、再び第２の閉回路を構成する。
【産業上の利用可能性】
【００３２】
以上説明したように、本発明の温室用空調装置は、植物栽培用温室に設置して、キメの細かい温室内の空調を行うことができる。
【符号の説明】
【００３３】
１          パプリカ栽培用温室
１３        温室用空調装置
１５        空調用ダクト
１７        地熱ヒートポンプシステム
１９        温水ボイラ
２１        空調用入口部
２３        ダクト本体
３７        冷房用熱交換器
３９        加温用熱交換器
４３        空気循環ファン
【図１】
2010200634.tif 000003
【図２】
2010200634.tif 000004
【図３】
2010200634.tif 000005
【図４】
2010200634.tif 000006
【図５】
2010200634.tif 000007
【図６】
2010200634.tif 000008
【図７】
2010200634.tif 000009
【図８】
2010200634.tif 000010
【図９】
2010200634.tif 000011